(57)【要約】【課題】  櫛体内全体の洗浄が容易な洗浄具を備えた毛髪化粧料用具を提供する。【解決手段】  毛髪化粧料用具１１は、２剤吐出容器１２、櫛体１３及び洗浄具１４を備えている。櫛体１３は本体部１８を備えている。本体部１８は、先端部に基台面２０が形成され、内部に連通路が形成されている。本体部１８の先端部には吐出路２４が開口形成されている。吐出路２４は、連通路に連通するとともに基台面２０に開口し、開口部から奥部に向かうに従い連通路の先端側に位置するように形成されている。基台面２０には、開口部の周囲に嵌合凹部２５が凹設されている。嵌合凹部２５の内底面には、位置決め用櫛歯２６が、開口部を挟んだ対向位置に２対突設されている。洗浄具１４は袋状をなし、周壁が蛇腹状の胴部３１を備えている。洗浄具１４は先端部３２ａが注出口３３として構成され、先端面が嵌合凹部２５の内底面に当接される当接部３２ｂとして構成されている。【選択図】      図１
2005218522.tif 000002
【特許請求の範囲】
【請求項１】
薬液を収容する収容容器と、収容容器内の薬液を毛髪に塗布する櫛体と、弾性変形可能な袋状をなす洗浄具とを備え、
前記櫛体は、収容容器内に連通する連通路が設けられた本体部と、本体部の外面に設けられた基台面と、基台面に突設された櫛歯と、連通路に連通するとともに基台面に開口する吐出路とを備え、
前記洗浄具は吐出路の開口部よりも大きく開口する注出口を備え、注出口の先端部には基台面に当接される当接部が設けられていることを特徴とする洗浄具を備えた毛髪化粧料用具。
【請求項２】
前記基台面には当接部の当接箇所を位置決めするための位置決め手段が設けられている請求項１に記載の洗浄具を備えた毛髪化粧料用具。
【請求項３】
前記位置決め手段は基台面に突設された対向する１対の位置決め用凸部を備え、両位置決め用凸部は開口部を挟む対向位置に設けられている請求項２に記載の洗浄具を備えた毛髪化粧料用具。
【請求項４】
前記位置決め手段は基台面に突設された対向する各１対の位置決め用凸部を備え、対向する各１対の位置決め用凸部はそれぞれ開口部を挟む対向位置に設けられている請求項２に記載の洗浄具を備えた毛髪化粧料用具。
【請求項５】
前記対向する１対の位置決め用凸部間の距離が２〜９ｍｍに設定されている請求項３又は請求項４に記載の洗浄具を備えた毛髪化粧料用具。
【請求項６】
前記位置決め手段は基台面に凹設された係合凹部を備え、係合凹部は当接部が係入可能に構成されている請求項２から請求項５のいずれか一項に記載の洗浄具を備えた毛髪化粧料用具。
【請求項７】
前記吐出路は開口部から奥部に向かうに従い連通路の先端側に位置するように設けられている請求項１から請求項６のいずれか一項に記載の洗浄具を備えた毛髪化粧料用具。
【請求項８】
薬液を収容する収容容器と、収容容器内の薬液を毛髪に塗布する櫛体と、弾性変形可能な袋状をなす洗浄具とを備え、
前記櫛体は、収容容器内に連通する連通路が設けられた本体部と、本体部の外面に設けられた基台面と、基台面に突設された吐出櫛歯と、連通路に連通するとともに吐出櫛歯の表面に開口する吐出路とを備え、
前記洗浄具は吐出櫛歯の基端部が挿通可能となるように開口された注出口を備え、注出口の先端部には基台面に当接される当接部が設けられていることを特徴とする洗浄具を備えた毛髪化粧料用具。
【発明の詳細な説明】
【技術分野】
【０００１】
本発明は、染毛剤等の薬液を毛髪に塗布するために用いられる毛髪化粧料用具に関するものである。
【背景技術】
【０００２】
従来、この種の毛髪化粧料用具は、薬液を収容する収容容器と、導出口を有する基端部が収容容器に取付けられる櫛体と、可撓性蛇腹状に形成された胴部及び注出口を有する洗浄具とを備えている（例えば、特許文献１参照。）。この毛髪化粧料用具の櫛体は、洗浄されるときには収容容器から取外される。そして、櫛体は、水に浸漬されるとともに導出口に洗浄具の注出口が嵌合され、洗浄具の胴部の伸縮により内部が洗浄される。
【特許文献１】特開平９−２８４４６号公報
【発明の開示】
【発明が解決しようとする課題】
【０００３】
ところが、この従来の毛髪化粧料用具は、櫛体の導出口に洗浄具の注出口が嵌合されるために、櫛体内がその導出口側から洗浄される。このため、櫛体内の洗浄は導出口側のみで主に行われ、櫛体内全体を洗浄するのが困難であるという問題があった。
【０００４】
本発明は、このような従来技術に存在する問題点に着目してなされたものである。その目的とするところは、櫛体内全体の洗浄が容易な洗浄具を備えた毛髪化粧料用具を提供することにある。
【課題を解決するための手段】
【０００５】
上記の目的を達成するために、請求項１に記載の発明の洗浄具を備えた毛髪化粧料用具は、薬液を収容する収容容器と、収容容器内の薬液を毛髪に塗布する櫛体と、弾性変形可能な袋状をなす洗浄具とを備え、前記櫛体は、収容容器内に連通する連通路が設けられた本体部と、本体部の外面に設けられた基台面と、基台面に突設された櫛歯と、連通路に連通するとともに基台面に開口する吐出路とを備え、前記洗浄具は吐出路の開口部よりも大きく開口する注出口を備え、注出口の先端部には基台面に当接される当接部が設けられているものである。
【０００６】
請求項２に記載の発明の洗浄具を備えた毛髪化粧料用具は、請求項１に記載の発明において、前記基台面には当接部の当接箇所を位置決めするための位置決め手段が設けられているものである。
【０００７】
請求項３に記載の発明の洗浄具を備えた毛髪化粧料用具は、請求項２に記載の発明において、前記位置決め手段は基台面に突設された対向する１対の位置決め用凸部を備え、両位置決め用凸部は開口部を挟む対向位置に設けられているものである。
【０００８】
請求項４に記載の発明の洗浄具を備えた毛髪化粧料用具は、請求項２に記載の発明において、前記位置決め手段は基台面に突設された対向する各１対の位置決め用凸部を備え、対向する各１対の位置決め用凸部はそれぞれ開口部を挟む対向位置に設けられているものである。
【０００９】
請求項５に記載の発明の洗浄具を備えた毛髪化粧料用具は、請求項３又は請求項４に記載の発明において、前記対向する１対の位置決め用凸部間の距離が２〜９ｍｍに設定されているものである。
【００１０】
請求項６に記載の発明の洗浄具を備えた毛髪化粧料用具は、請求項２から請求項５のいずれか一項に記載の発明において、前記位置決め手段は基台面に凹設された係合凹部を備え、係合凹部は当接部が係入可能に構成されているものである。
【００１１】
請求項７に記載の発明の洗浄具を備えた毛髪化粧料用具は、請求項１から請求項６のいずれか一項に記載の発明において、前記吐出路は開口部から奥部に向かうに従い連通路の先端側に位置するように設けられているものである。
【００１２】
請求項８に記載の発明の洗浄具を備えた毛髪化粧料用具は、薬液を収容する収容容器と、収容容器内の薬液を毛髪に塗布する櫛体と、弾性変形可能な袋状をなす洗浄具とを備え、前記櫛体は、収容容器内に連通する連通路が設けられた本体部と、本体部の外面に設けられた基台面と、基台面に突設された吐出櫛歯と、連通路に連通するとともに吐出櫛歯の表面に開口する吐出路とを備え、前記洗浄具は吐出櫛歯の基端部が挿通可能となるように開口された注出口を備え、注出口の先端部には基台面に当接される当接部が設けられているものである。
【発明の効果】
【００１３】
本発明によれば、櫛体内全体の洗浄が容易な洗浄具を備えた毛髪化粧料用具を提供することができる。
【発明を実施するための最良の形態】
【００１４】
（第１実施形態）
以下、本発明を毛髪化粧料用具に具体化した第１実施形態を図面に基づいて説明する。
図１に示すように、第１実施形態の毛髪化粧料用具１１は毛髪に薬液としての２剤式の染毛剤を塗布するために使用され、収容容器としての２剤吐出容器１２と、櫛体１３と、洗浄具１４とから構成されている。２剤吐出容器１２は、並設された２個のエアゾール容器１５から構成されている。各エアゾール容器１５には、それぞれ染毛剤の第１液及び第２液が充填されている。各エアゾール容器１５の上部には、楕円筒状の連結部１６が取付けられている。連結部１６の下端部両側の外面には、係合突起１６ａがそれぞれ突設されている。
【００１５】
図１及び図２に示すように、櫛体１３は、合成樹脂材料により有蓋楕円筒状に形成された蓋部１７と、合成樹脂材料により有蓋筒状に形成された本体部１８とを備えている。蓋部１７の下端部両側には、長四角孔状の固定孔１７ａがそれぞれ貫通形成されている。蓋部１７は連結部１６に外挿され、連結部１６の各係合突起１６ａが蓋部１７の各固定孔１７ａにそれぞれ係合することにより連結部１６に着脱可能に取付けられている。蓋部１７の上部中央には、円筒状の支柱１７ｂが上方へ突設されている。
【００１６】
蓋部１７の内部には、合成樹脂材料により長四角箱状に形成された吐出部１９が配設されている。吐出部１９の下部には、円筒状の流入管１９ａが下方へ一対突設されている。各流入管１９ａの内部は吐出部１９の内部と連通している。各流入管１９ａには、エアゾール容器１５の先端部がそれぞれ嵌挿されている。吐出部１９の上部中央には、円筒状のノズル１９ｂが上方へ突設されている。ノズル１９ｂの内部は吐出部１９の内部と連通している。蓋部１７には図示しないレバーが取付けられている。そして、毛髪化粧料用具１１は、レバーを押し下げることにより、各エアゾール容器１５内の第１液及び第２液が流入管１９ａ内を介して吐出部１９内に流入した後、ノズル１９ｂの先端部から第１液及び第２液が混合されたクリーム状の染毛剤が吐出されるようになっている。ノズル１９ｂは、支柱１７ｂの基端部に嵌挿されている。
【００１７】
図１及び図３（ａ）に示すように、本体部１８の先端部一側の外面には、長方形状をなす基台面２０が形成されており、該基台面２０には複数の櫛歯が突設されている。本体部１８の内部には円孔状の連通路２１が設けられており、ノズル内、吐出部内及び流入管内を介して２剤吐出容器１２内、即ち各エアゾール容器１５内に連通している。本体部１８の基端部は前記連通路２１の基端部が開口されており、支柱１７ｂの先端部に嵌挿されている。ここで、本体部１８の先端部は図１及び図３（ａ）における上端部を示し、基端部は同図における下端部を示す。
【００１８】
基台面２０の両側部には、丸棒状をなす櫛歯としての複数の側部櫛歯２２が長手方向に延びる列状にそれぞれ突設されている。基台面２０の先端部及び基端部には、丸棒状をなす櫛歯としての２本の端部櫛歯２３が短手方向に延びる列状にそれぞれ突設されている。
【００１９】
本体部１８の先端部には、円孔状をなす複数の吐出路２４が、所定間隔をおいて長手方向に延びる列状にそれぞれ開口形成されている。各吐出路２４は、連通路２１に連通するとともに基台面２０の短手方向の中央部に開口するようにそれぞれ形成されている。さらに、各吐出路２４は、開口部２４ａから奥部に向かうに従い連通路２１の先端側に位置するように形成されている。即ち、各吐出路２４は開口部２４ａから奥部に向かうに従い連通路２１の先端側に傾斜する傾斜状に形成され、中心を通る直線が連通路２１の中心を通る直線に対してそれぞれ鋭角に設定されている。
【００２０】
吐出路２４の直径は０．８〜３ｍｍが好ましく、１．０〜２．５ｍｍがより好ましく、１．２〜２．２ｍｍが最も好ましい。０．８ｍｍ未満では、吐出路２４が過剰に小さいために各開口部２４ａから一度に吐出される染毛剤の量が少なく、染毛剤の毛髪への塗布が煩雑になるおそれが高い。一方、３ｍｍを超えると、吐出路２４が過剰に大きいたいめに各開口部２４ａから一度に吐出される染毛剤の量が過剰になるおそれが高い。このため、吐出路２４の直径を０．８〜３ｍｍに設定することにより、各開口部２４ａからの染毛剤の吐出量を適量に調節することができる。ここで、吐出路２４を流通する染毛剤の圧力は、ノズル１９ｂの先端部から離間するに従い低下する。このため、吐出路２４は、各開口部２４ａから一度に吐出される染毛剤の量を均一にするために、本体部１８の基端側から先端側に位置するに従い直径が大きくなるように構成されているのが好ましい。
【００２１】
図３（ａ）及び（ｂ）に示すように、基台面２０には、係合凹部としての正面円形状をなす嵌合凹部２５が凹設されている。各嵌合凹部２５は各開口部２４ａの周囲を取囲むように形成されており、各嵌合凹部２５の内底面２５ａは中心に開口部２４ａが位置するように形成されている。各内底面２５ａは、基台面２０をそれぞれ構成している。各内底面２５ａの周縁部には、丸棒状をなす対向する２対の位置決め用櫛歯２６が突設されている。各位置決め用櫛歯２６は櫛歯を構成するとともに位置決め用凸部を構成している。
【００２２】
ここで、側部櫛歯２２、端部櫛歯２３及び位置決め用櫛歯２６は、基端部から先端部に向かうに従い縮径する先細りにそれぞれ形成されている。さらに、側部櫛歯２２の直径は０．５〜１．５ｍｍが好ましく、０．８〜１．２ｍｍがより好ましい。加えて、側部櫛歯２２の長さ（基台面２０から側部櫛歯２２の先端部までの距離）は３〜１０ｍｍが好ましく、４〜８ｍｍがより好ましい。側部櫛歯２２の直径又は長さを前記範囲に設定することにより、染毛剤を毛髪に容易に塗布することができるとともに、毛髪に塗布された染毛剤を側部櫛歯２２によって容易に伸ばすことができる。
【００２３】
一方、端部櫛歯２３及び位置決め用櫛歯２６の直径は０．８〜３ｍｍがそれぞれ好ましく、１〜２ｍｍがそれぞれより好ましい。加えて、端部櫛歯２３及び位置決め用櫛歯２６の長さ（基台面２０から端部櫛歯２３又は位置決め用櫛歯２６の先端部までの距離）は５〜１５ｍｍがそれぞれ好ましく、７〜１２ｍｍがそれぞれより好ましい。端部櫛歯２３若しくは位置決め用櫛歯２６の直径又は長さを前記範囲に設定することにより、染毛剤が基台面２０から垂れ落ちるのを抑制して染毛剤を保持することができる。
【００２４】
図３（ｂ）に示すように、各１対の位置決め用櫛歯２６は、開口部２４ａからわずかに離間した位置に設けられるとともに開口部２４ａを挟む対向位置にそれぞれ突設されている。さらに、各１対の位置決め用櫛歯２６は、嵌合凹部２５の内周面２５ｂからわずかに離間した位置にそれぞれ突設されている。本実施形態では、対向する各１対の位置決め用櫛歯２６の中心間を通る各直線２６ａのなす角度θは直角に設定されている。これら嵌合凹部２５及び各位置決め用櫛歯２６は、位置決め手段をそれぞれ構成している。
【００２５】
図１及び図３（ａ）に示すように、本実施形態の本体部１８は、ポリプロピレン（ＰＰ）等の弾性変形が困難な硬質の合成樹脂材料により略有蓋円筒状に形成された軸部２７と、低密度ポリエチレン等の弾性変形が容易な軟質の合成樹脂材料により略長四角板状に形成された基台部２８とから構成されている。軸部２７は内部に連通路２１を有し、先端部一側に連通路２１に連通する嵌合孔２９が開口形成されている。一方、基台部２８は一側面（図３（ａ）では左側面）に基台面２０を有し、他側面（図３（ａ）では右側面）には長四角板状の嵌合脚３０が突設されている。そして、基台部２８は、嵌合脚３０が嵌合孔２９に嵌合されることにより、軸部２７に取付けられている。
【００２６】
図１に示すように、洗浄具１４はポリエチレン、ＰＰ、塩化ビニール、ナイロン等の透明な樹脂材料により袋状に形成されている。この洗浄具１４は、胴部３１及び接続部３２を備えている。胴部３１は、周壁が弾性変形可能な蛇腹状をなす有底円筒状に形成されている。一方、接続部３２は基端部から先端部に向かうに従い縮径する漏斗形状に形成されている。
【００２７】
洗浄具１４の先端部、即ち接続部３２の先端部３２ａは円筒状に形成された注出口３３となっている。注出口３３は、その開口面積が開口部２４ａよりも大きいとともに嵌合凹部２５の内底面２５ａの面積よりも小さく形成されている。さらに注出口３３は、流入管１９ａに外挿可能に構成されている。接続部３２の先端面は、嵌合凹部２５の内底面２５ａに当接される当接部３２ｂとして構成されている。当接部３２ｂは、その全体にわたって内底面２５ａに当接されるように構成されている。各位置決め用櫛歯２６と嵌合凹部２５の内周面２５ｂとの間隔は、接続部３２の先端部３２ａの周壁の厚みと同じ長さにそれぞれ設定されている。
【００２８】
図３（ｂ）に示すように、洗浄具１４の先端部３２ａは、その内周面に各位置決め用櫛歯２６が当接するとともに嵌合凹部２５に嵌挿されるように構成されている。ここで、対向する各１対の位置決め用櫛歯２６間の距離ｒは２〜９ｍｍが好ましく、３〜６ｍｍがより好ましい。距離ｒが２ｍｍ未満では、位置決め用櫛歯２６同士が近接するために位置決め用櫛歯２６に挟まれた開口部２４ａの直径が過剰に小さくなり、各開口部２４ａから一度に吐出される染毛剤の量が少なくなるおそれが高い。一方、９ｍｍを超えると、位置決め用櫛歯２６同士が離間しすぎるために、それら位置決め用櫛歯２６間に染毛剤を保持させるのが困難になるうえ、染毛作業の作業性が著しく低下するおそれが高い。よって、距離ｒを２〜９ｍｍに設定することにより、染毛作業の作業性を高めつつ当接部３２ｂの内底面２５ａへの位置決めが容易である。
【００２９】
さて、この毛髪化粧料用具１１を用いて染毛剤を毛髪に塗布するときには、櫛体１３の蓋部１７を２剤吐出容器１２の連結部１６に取付けた後、レバーを押し下げてクリーム状の染毛剤をノズル１９ｂの先端部、連通路２１及び各吐出路２４を経由して各開口部２４ａから基台面２０上に吐出させる。次いで、染毛剤を各櫛歯２２，２３，２６間に保持した状態で、各櫛歯２２，２３，２６により毛髪を梳くことにより、染毛剤を毛髪に塗布する。
【００３０】
毛髪に染毛剤を塗布した毛髪化粧料用具１１を洗浄するときには、連結部１６の係合突起１６ａと蓋部１７の固定孔１７ａとの係合を解除することにより、櫛体１３を２剤吐出容器１２から取外す。次いで、図４に示すように、櫛体１３を水に浸漬させた状態で、洗浄具１４の先端部３２ａを本体部１８の嵌合凹部２５に嵌挿する。このとき、洗浄具１４は、その先端部３２ａ内周面に各位置決め用櫛歯２６が当接するとともに当接部３２ｂが内底面２５ａに当接された状態となっている。
【００３１】
洗浄具１４の先端部３２ａを本体部１８の嵌合凹部２５に嵌挿した状態で胴部３１を収縮及び復元させることにより、吐出路２４及び連通路２１に図３（ａ）の矢印で示す水流を発生させる。このため、洗浄具１４は、吐出路２４及び連通路２１に発生した水流により、櫛体１３内から染毛剤を排出して櫛体１３内を洗浄する。このとき、当接部３２ｂはその全体にわたって内底面２５ａに当接されるために、内底面２５ａとの間から水が漏れ出すのを防止する。そして、前記一連の操作は一つの吐出路２４に対して複数回繰返すとよい。
【００３２】
続いて、図５に示すように、洗浄具１４の先端部３２ａを本体部の嵌合凹部から離間させた後、櫛体１３を水に浸漬させた状態で先端部３２ａを一方の流入管１９ａに外挿する。そして、洗浄具１４の先端部３２ａを流入管１９ａに外挿した状態で胴部３１を収縮及び復元させることにより、流入管１９ａ内、吐出部１９内及びノズル１９ｂ内に図５の矢印で示す水流を発生させる。このため、洗浄具１４は、流入管１９ａ内、吐出部１９内及びノズル１９ｂ内に発生した水流により、櫛体１３内をさらに洗浄する。このとき、洗浄具１４の先端部３２ａは、流入管１９ａの外周面との間に隙間が形成されることなく流入管に外挿され、流入管１９ａとの間から水が漏れ出すのを防止する。そして、前記一連の操作は一方の流入管１９ａに対して複数回繰返すとよい。
【００３３】
前記の実施形態によって発揮される効果について、以下に記載する。
・  第１実施形態の洗浄具１４は、当接部３２ｂが嵌合凹部２５の内底面２５ａに当接されることにより注出口３３が吐出路２４に連通される。さらに、洗浄具１４は、先端部３２ａが流入管１９ａに外挿されることにより、内部が流入管１９ａ内に連通される。このため、洗浄具１４は、従来の洗浄具に比べて吐出路２４、連通路２１、ノズル１９ｂ内、吐出部１９内及び各流入管１９ａ内全体から染毛剤を容易に排出することができ、櫛体１３内の洗浄が容易である。さらに、毛髪化粧料用具１１は、一つの洗浄具１４によって櫛体１３内を染毛剤の入口側及び出口側の両側から洗浄することができ、入口側から櫛体１３内を洗浄するための洗浄具を省略することができる。
【００３４】
・  基台面２０には嵌合凹部２５が凹設され、嵌合凹部２５には洗浄具１４の先端部３２ａが内挿される。このため、毛髪化粧料用具１１は、当接部３２ｂの内底面２５ａへの位置決め及びその保持が容易である。
【００３５】
・  嵌合凹部２５の内底面２５ａには位置決め用櫛歯２６が突設されている。この位置決め用櫛歯２６は、洗浄具１４の先端部３２ａ内周面に当接することにより、先端部３２ａの内底面２５ａへのガイド機能を発揮している。このため、毛髪化粧料用具１１は、当接部３２ｂの内底面２５ａへの位置決めがより容易である。
【００３６】
・  位置決め用櫛歯２６は４本突設されている。このため、毛髪化粧料用具１１は、ガイド機能を発揮する位置決め用櫛歯２６が数多く突設されているために、当接部３２ｂの内底面２５ａへの位置決めがさらに容易である。加えて、毛髪化粧料用具１１は、各位置決め用櫛歯２６の角度θが直角に設定されているために、当接部３２ｂの内底面２５ａに対する揺動を規制することができる。よって、毛髪化粧料用具１１は、当接部３２ｂの内底面２５ａへの位置決めがより一層容易である。
【００３７】
・  各吐出路２４は、開口部２４ａから奥部に向かうに従い連通路２１の先端側に位置するように形成されている。このため、各吐出路２４は、図３（ａ）の矢印で示すように、連通路２１の先端側に向かって水流を発生させることができる。よって、毛髪化粧料用具１１は、連通路２１の先端部の洗浄が容易である。
【００３８】
・  各吐出路２４は、本体部１８の基端側から先端側に位置するに従い大きくなるように構成されているのが好ましい。このように構成したときには、毛髪化粧料用具１１は、従来の毛髪化粧料用具では洗浄が困難であった本体部１８の先端側に位置する吐出路２４及び連通路２１の先端部の洗浄が容易である。さらに、毛髪化粧料用具１１は、各開口部２４ａから一度に吐出される染毛剤の量を均一にすることができる。
【００３９】
（第２実施形態）
以下、本発明の第２実施形態を図面に基づいて詳細に説明する。尚、この第２実施形態については、第１実施形態と異なる点を中心に説明する。
【００４０】
図６及び図７に示すように、第２実施形態の櫛体１３は、合成樹脂材料により有蓋筒状に形成された本体部１８を備えている。本体部１８の先端側一側の外面には、長方形状をなす基台面２０が形成されている。基台面２０には、三角板状をなす複数の吐出櫛歯３４が、所定間隔をおいて基台面２０の長手方向に延びる列状にそれぞれ突設されている。各吐出櫛歯３４は、基台面２０に対する直交方向及び短手方向に延びるようにそれぞれ形成されている。
【００４１】
各吐出櫛歯３４の頂部には、吐出路を構成する円孔状の第１吐出路３５が吐出櫛歯３４の厚み方向に延びるようにそれぞれ開口形成されている。さらに、各吐出櫛歯３４には、吐出路を構成する円孔状の第２吐出路３６が、第１吐出路３５の中央部に開口するとともに連通路２１に連通するように開口形成されている。各第２吐出路３６の中心を通る直線及び連通路２１の中心を通る直線のなす角度はそれぞれ直角に設定されている。各吐出路３５，３６の直径は、第１実施形態の吐出路と同様に０．８〜３ｍｍが好ましく、１．０〜２．５がより好ましく、１．２〜２．２ｍｍが最も好ましい。さらに、各吐出路３５，３６は、第１実施形態の吐出路と同様に本体部１８の基端側から先端側に位置するに従い直径が大きくなるように構成されているのが好ましい。
【００４２】
洗浄具１４の接続部３２は横長四角筒状に形成されている。洗浄具１４の注出口３３は吐出櫛歯３４の基端部を挿通可能となるように形成されている。さらに、洗浄具１４は、その内部に吐出櫛歯３４全体を挿通可能に構成されている。
【００４３】
さて、この毛髪化粧料用具１１を用いて染毛剤を毛髪に塗布するときには、櫛体１３の蓋部を２剤吐出容器の連結部に取付けた後、染毛剤をノズルの先端部、連通路２１及び各吐出路３６，３５を経由して吐出櫛歯３４の頂部外面上に吐出させる。次いで、染毛剤を各吐出櫛歯３４間に保持した状態で各吐出櫛歯３４により毛髪を梳くことにより、染毛剤を毛髪に塗布する。
【００４４】
毛髪化粧料用具１１を洗浄するときには、櫛体１３を２剤吐出容器から取外す。次いで、櫛体１３を水に浸漬させた状態で、図７に示すように洗浄具１４を吐出櫛歯３４に外挿する。このとき、洗浄具１４は、その当接部３２ｂが基台面２０に当接された状態となっている。さらに、洗浄具１４の内周面と吐出櫛歯３４との間にはわずかな間隙が形成されている。
【００４５】
洗浄具１４を吐出櫛歯３４に外挿した状態で胴部３１を収縮及び復元させることにより、各吐出路３５，３６及び連通路２１に水流を発生させる。このため、洗浄具１４は、各吐出路３５，３６及び連通路２１に発生した水流により、櫛体１３内から染毛剤を排出して櫛体１３内を洗浄する。従って、第２実施形態の毛髪化粧料用具１１は、洗浄具１４の当接部３２ｂを基台面２０に当接させることにより、注出口３３及び各吐出路３５，３６を連通させることができる。このため、第２実施形態の毛髪化粧料用具１１は、第１実施形態の毛髪化粧料用具１１と同様に櫛体１３内の洗浄が容易である。
【００４６】
尚、前記各実施形態は、次のように変更して具体化することも可能である。
・  第１実施形態において、各嵌合凹部２５の内底面２５ａに位置決め用櫛歯２６を１本のみ突設してもよいし、３本又は５本以上突設してもよい。さらに、内底面２５ａに位置決め用櫛歯２６を１対のみ突設してもよい。このとき、位置決め用櫛歯２６を２本以上突設することにより、１本のみ突設するときに比べて当接部３２ｂの内底面２５ａへの位置決めが容易である。ここで、位置決め用櫛歯２６を２本以上突設するときには、各位置決め用櫛歯２６及び開口部２４ａを通る各直線のなす角度は、位置決め用櫛歯２６が２本のときには１８０度、３本のときには１２０度のように３６０度を位置決め用櫛歯２６の本数で割ることにより得られる値が好ましい。
【００４７】
・  位置決め用凸部としての位置決め用櫛歯２６の代わりに、内底面２５ａに対して直交方向に延びる四角板状や円環状等の形状をなす位置決め用突起を設けてもよい。
・  第１実施形態において、各位置決め用櫛歯２６を、洗浄具１４の先端部３２ａ外周面と当接するように基台面２０に突設してもよい。
【００４８】
・  第１実施形態において、洗浄具１４の先端部３２ａの形状を四角筒状等に変更してもよい。このとき、嵌合凹部２５の形状は、先端部３２ａの形状に対応して変更される。さらに、各位置決め用櫛歯２６は、嵌合凹部２５の内底面２５ａにおいて、先端部３２ａ内周面に当接するように突設されるのが好ましい。このとき、当接部３２ｂの基台面２０に対する揺動を規制することができる。
【００４９】
・  第１実施形態において、嵌合凹部２５及び位置決め用櫛歯２６の少なくとも一方を省略してもよい。
・  第１実施形態において、基台面２０の各開口部２４ａの周囲に、嵌合凹部２５の代りに洗浄具１４の先端部３２ａが係入される係合凹部を凹設してもよい。即ち、係合凹部に係入された先端部３２ａと係合凹部の内周面との間にわずかな遊びがあってもよい。
【００５０】
・  第１実施形態において、各吐出路２４の中心を通る直線及び連通路２１の中心を通る直線のなす角度を直角に設定してもよい。また、各吐出路２４を、開口部２４ａから奥部に向かうに従い連通路２１の基端側に傾斜する傾斜状に形成してもよい。
【００５１】
・  第１実施形態において、一部の吐出路２４（好ましくは基台面２０の先端部にある吐出路２４）に対してのみ当接部３２ｂを内底面２５ａに当接するように構成してもよい。また、第２の実施形態において、一部の吐出櫛歯３４（好ましくは基台面２０の先端部にある吐出櫛歯３４）にのみ洗浄具１４を外挿するように構成してもよい。
【００５２】
・  第１実施形態において、嵌合凹部２５の代わりに位置決め手段を構成する円環状の嵌合溝を設けてもよい。嵌合溝は、その幅が洗浄具１４の先端部３２ａの周壁の厚さに設定され、先端部３２ａが嵌挿されるように形成されている。また、第２実施形態において、洗浄具１４の当接部３２ｂが当接される基台面２０の箇所に、位置決め手段としての四角環状をなす嵌合溝を凹設してもよい。嵌合溝は、その幅が洗浄具１４の先端部３２ａの周壁の厚さに設定され、先端部３２ａが嵌挿されるように形成されている。このように構成したときには、洗浄具１４の当接部３２ｂの位置決め及びその保持が容易である。
【００５３】
・  各実施形態において、薬液を１剤式の染毛剤に変更してもよいし、脱色剤や整髪剤等の毛髪化粧料に変更してもよい。さらに、薬液の形態を泡状、液状、ゲル状等に変更してもよい。
【００５４】
さらに、前記実施形態より把握できる技術的思想について以下に記載する。
・  前記洗浄具は、周壁が蛇腹状をなす有底筒状の胴部を備えている請求項１から請求項８のいずれか一項に記載の洗浄具を備えた毛髪化粧料用具。この構成によれば、櫛体内の洗浄が容易である。
【００５５】
・  前記基台面には当接部の当接箇所を位置決めするための位置決め手段が設けられている請求項８に記載の洗浄具を備えた毛髪化粧料用具。この構成によれば、当接部の位置決めが容易である。
【図面の簡単な説明】
【００５６】
【図１】第１実施形態の毛髪化粧料用具を示す分解斜視図。
【図２】櫛体を示す要部拡大断面図。
【図３】（ａ）は櫛体を示す要部拡大断面図、（ｂ）は嵌合凹部を示す正面図。
【図４】櫛体の洗浄工程を示す要部断面図。
【図５】櫛体の洗浄工程を示す要部拡大断面図。
【図６】第２実施形態の櫛体及び洗浄具を示す斜視図。
【図７】櫛体を示す要部拡大断面図。
【符号の説明】
【００５７】
ｒ…距離、１１…毛髪化粧料用具、１２…収容容器としての２剤吐出容器、１３…櫛体、１４…洗浄具、１８…本体部、２０…基台面、２１…連通路、２２…櫛歯としての側部櫛歯、２３…櫛歯としての端部櫛歯、２４…吐出路、２４ａ…開口部、２５…係合凹部としての嵌合凹部、２６…櫛歯及び位置決め手段を構成する位置決め用凸部としての位置決め用櫛歯、３２ａ…先端部、３２ｂ…当接部、３３…注出口、３４…吐出櫛歯、３５…第１吐出路、３６…第２吐出路。
【図１】
2005218522.tif 000003
【図２】
2005218522.tif 000004
【図３】
2005218522.tif 000005
【図４】
2005218522.tif 000006
【図５】
2005218522.tif 000007
【図６】
2005218522.tif 000008
【図７】
2005218522.tif 000009